(57)【要約】      （修正有）【課題】水栓本体に対する位置合わせ後に偏心管本体から手を放しても偏心管本体を一旦保持できてその後水栓本体に締付けることができる機構を有する偏心管を提供する。【解決手段】偏心管１と、内周面ｍに第１の係合手段が形成された偏心管本体２と、筒状体３と、前記第１の係合手段に係合する第２の係合手段を外周面ｎに有する配管接続部材４とを備え、接続時には前記第１の係合手段と前記第２の係合手段との係合により、前記偏心管本体２、筒状体３および配管接続部材４が一体となって回動されるよう前記偏心管本体２を常時付勢するスプリング１０を設け、水栓本体に対する位置合わせ時には、前記偏心管本体２を前記スプリング１０の付勢力に抗して押圧することにより前記第１の係合手段と第２の係合手段との係合を解除し、前記偏心管本体２を軸まわりに回動可能とする、前記第１の係合手段および第２の係合手段としてはセレーション５，８を用いる。【選択図】図２
2006132207.tif 000002
【特許請求の範囲】
【請求項１】
湯水混合水栓の水栓本体と配管との間に接続される偏心管であって、環状の内周面に第１の係合手段が形成された筒状の開口部を上流側に有する偏心管本体と、前記開口部内に前記開口部と同軸に配置された状態で前記偏心管本体に固定される筒状体と、この筒状体および前記開口部間に同軸に介装され、前記第１の係合手段に係合する第２の係合手段を環状の外周面に有するとともに、前記第２の係合手段よりも上流側に配管に対する接続用ネジ部を有する筒状の配管接続部材とを備え、配管との接続時には、前記第１の係合手段と前記第２の係合手段との係合により、前記偏心管本体、筒状体および配管接続部材が一体となって配管の軸まわりに回動されるよう前記偏心管本体を常時下流側に付勢するスプリングを設け、水栓本体に対する位置合わせ時には、前記偏心管本体を前記スプリングの付勢力に抗して上流側に押圧することにより前記第１の係合手段と第２の係合手段との係合状態を解除し、前記配管接続部材は静止したままで前記偏心管本体を前記軸まわりに回動可能としてあり、前記第１の係合手段および第２の係合手段としてそれぞれセレーションを用い、更に、これらセレーションの形状をピッチの粗い歯数の少ないものにしたことを特徴とする偏心管。
【発明の詳細な説明】
【技術分野】
【０００１】
この発明は、湯水混合水栓の水栓本体と配管との間に接続される偏心管に関するものである。
【背景技術】
【０００２】
水栓本体と配管との間に接続される偏心管として、偏心管本体と、配管接続時には偏心管本体と一体に配管の軸まわりに回動する配管接続部材とを有し、配管接続部材を配管に接続固定した後には、配管の軸方向に沿って、偏心管本体を配管側とは反対方向の水栓本体側に移動させ、偏心管本体のみの前記軸まわりの回動を許容させ、それによって水栓本体に対する偏心管本体の位置合わせが行えるよう構成されたものがある（特許文献１参照）。
【特許文献１】特許第３２９４８３０号公報
【発明の開示】
【発明が解決しようとする課題】
【０００３】
しかし、位置合わせ後において直ちに偏心管本体の接続部を水栓本体の接続部に締付ける作業を行う必要がある。すなわち、偏心管本体の接続部を水栓本体の接続部に対応する所定の位置に回動させても、この回動位置に水栓本体を維持する手段を持たないので、締付け前に偏心管本体から手を放すと偏心管本体は前記軸まわりに回動して前記所定の位置からずれることになり、再度微調整作業を行う必要がある。要するに、従来では、微調整して直ちに締付けなければならないという制約がある。
【０００４】
この発明は、上述の事柄に留意してなされたもので、その目的は、水栓本体に対する位置合わせ後に偏心管本体から手を放しても偏心管本体を一旦保持できてその後水栓本体に締付けることができる機構を有する偏心管を提供することを目的としている。
【課題を解決するための手段】
【０００５】
上記目的を達成するために、この発明の偏心管は、湯水混合水栓の水栓本体と配管との間に接続される偏心管であって、環状の内周面に第１の係合手段が形成された筒状の開口部を上流側に有する偏心管本体と、前記開口部内に前記開口部と同軸に配置された状態で前記偏心管本体に固定される筒状体と、この筒状体および前記開口部間に同軸に介装され、前記第１の係合手段に係合する第２の係合手段を環状の外周面に有するとともに、前記第２の係合手段よりも上流側に配管に対する接続用ネジ部を有する筒状の配管接続部材とを備え、配管との接続時には、前記第１の係合手段と前記第２の係合手段との係合により、前記偏心管本体、筒状体および配管接続部材が一体となって配管の軸まわりに回動されるよう前記偏心管本体を常時下流側に付勢するスプリングを設け、水栓本体に対する位置合わせ時には、前記偏心管本体を前記スプリングの付勢力に抗して上流側に押圧することにより前記第１の係合手段と第２の係合手段との係合状態を解除し、前記配管接続部材は静止したままで前記偏心管本体を前記軸まわりに回動可能としてあり、前記第１の係合手段および第２の係合手段としてそれぞれセレーションを用い、更に、これらセレーションの形状をピッチの粗い歯数の少ないものにしたことを特徴とする。
【０００６】
セレーションはスプラインに比べて例えば偏心管のような比較的小さい軸径のものに使われ、例えば図５（Ａ）に示す偏心管本体２の環状の内周面ｍに形成される比較例としてのセレーション５’のように、一般にピッチが細かく歯数が多いものである。図５（Ｂ）、図５（Ｃ）に示すセレーション５’は、例えば３６個の歯（山）３０’を有するとともに、歯３０’，３０’間は細かなピッチＰ1 を有している。この比較例としてのセレーション５’では例えば直径が２４ｍｍの円の円周を３６等分する形で３６個の歯３０’が形成されている。一方、この発明において、例えば偏心管本体２の環状の内周面ｍに形成されるセレーション５の形状をピッチの粗い歯数の少ないものにしたとは、図３（Ｂ）、図３（Ｃ）に示すように、歯数（山の数）を少なくするために、隣接する歯３０，３０間のピッチＰが図５に示したセレーションにおける歯３０’，３０’間のピッチＰ1 に比べて大きく設定されていることを意味する。この発明の第１の係合手段としてのセレーション３０は、図３（Ｂ）、図３（Ｃ）ならびに図４（Ａ）、図４（Ｂ）に示されている。ピッチの粗い歯数の少ない例えば図３（Ｂ）、図３（Ｃ）に示すようなセレーション５は、例えば図５に示したセレーション５’の山３０’が円周に沿って一つ置きに削除された形に形成されている。また、図４（Ａ）、図４（Ｂ）に示すこの発明の第１の係合手段としてのセレーション５は、図５に示したセレーション５’の山３０’が円周に沿って二つ置きに削除された形に形成されている。一方、この発明の第２の係合手段としてのセレーション８は、図３（Ｂ）、図３（Ｃ）に示すように、第１のセレーション５と同一形状をなしており、第１のセレーション５と第２のセレーション８の形状をピッチの粗い歯数の少ないものにしたことにより、隣接する第１のセレーション５の歯（山）３０と第２のセレーション８の歯（山）３０ａ間に微調整可能な遊びが生じる程度のクリアランスＫを生じさせることができる。
【発明の効果】
【０００７】
この発明では、第１の係合手段および第２の係合手段としてそれぞれセレーションを用い、更に、これらセレーションの形状をピッチの粗い歯数の少ないものにしたので、第１の係合手段のセレーションの歯（山）と、これに隣接する第２の係合手段のセレーションの歯（山）との間にクリアランスを設けることができ、偏心管本体の振り幅を前記クリアランスの分だけ比較例の場合より大きくできるので、微調整時において、偏心管本体をスプリングの付勢力に抗して上流側に押圧する動作を一回だけ行うだけで、後は偏心管本体を前記振り幅の範囲で回すことにより偏心管本体の水栓本体接続部と水栓本体の接続部との位置合わせができる。これにより、偏心管の位置合わせ作業を容易にできる。
【発明を実施するための最良の形態】
【０００８】
以下、この発明の実施の形態を、図を参照しながら説明する。なお、それによってこの発明は限定されるものではない。
【０００９】
図１〜図３はこの発明の第１の実施の形態を示している。図１は、湯水混合水栓の設置状態を示し、図２は、偏心管本体と配管との接続を示し、図３は、偏心管本体の環状の内周面に形成されるセレーションとこれに係合するセレーションを示す。また、図２において、Ａは配管が位置する配管側、Ｂは水栓本体が位置する水栓本体側である。
【００１０】
図１〜図３において、１は、湯水混合水栓の水栓本体Ｓと、湯側および水側の各配管ｑとの間にそれぞれ接続される湯側および水側の各偏心管である。この偏心管１は、平面視クランク状の偏心管本体２〔図３（Ａ）参照〕と、この偏心管本体２に取付けられている筒状体３と、配管ｑとの接続時には、偏心管本体２および筒状体３と一体となって配管ｑの軸まわりに回動される筒状の配管接続部材４とを主として備えている。１３は吐水管、１４は水栓本体Ｓの長手方向における一端に設けた、温度調整部材で、湯水の吐水・止水ならびに湯水の流量を調整する。
【００１１】
更に、前記偏心管本体２は、環状の内周面ｍに第１のセレーション（第１の係合手段）５が形成された筒状の開口部６を上流側に有する。また、前記偏心管本体２は、上流側から順次、前記開口部６、流量調整弁１６を有する流量調整部１７、下流側に行くにつれ流路が狭められている略筒状の連通部１８、水栓本体接続部２０を備えている。前記筒状体３は、偏心管本体２の取付け位置に雄ネジｒを有する。
【００１２】
また、前記筒状体３は、前記開口部６内に前記開口部６と同軸に配置された状態で前記偏心管本体２に固定されている。７は、開口部６の内周面ｍよりも内方に突出しており、開口部６の根元に設けられている小径部分である。すなわち、この小径部分７は、開口部６の内径よりも小さく設定された内径を有する。また、小径部分７は、筒状体３の前記雄ネジｒに螺合する雌ネジｅを内周に有する。
【００１３】
前記配管接続部材４は、下流部分が筒状体３および前記開口部６間に同軸に介装されてなる。前記配管接続部材４は、前記第１のセレーション５に係合する第２のセレーション（第２の係合手段）８を環状の外周面ｎに有するとともに、前記第２のセレーション８よりも上流側に配管ｑに対する接続用ネジ部９を有する。前記第１のセレーション５と第２のセレーション８は同一形状であり、後述するような形状になっている。また、配管接続部材４は、第２のセレーション８に対応する内周面ｎ’の位置に一対のＯリング１１の嵌込み溝１１ａを軸Ｘの方向に沿って複数有するとともに、これら溝１１ａの直下流側に内周面ｎ’から内側に突出した環状のフランジ１２を有する。
【００１４】
１０は、偏心管本体２を配管ｑの軸方向に沿う押圧力Ｆでもって付勢しているスプリングで、偏心管本体２の前記小径部分７と配管接続部材４の前記環状のフランジ１２間に設けられている。そして、スプリング１０内に筒状体３の下流部分が挿通されている。
【００１５】
而して、第１のセレーション５と第２のセレーション８との係合により、偏心管本体２、筒状体３および配管接続部材４が一体となっているので、工具なしで偏心管１を配管ｒに接続できる。すなわち、偏心管１を締付け用の工具として用いることができるもので、接続用ネジ部９を配管ｒのネジ部に位置合わせさせながら、偏心管本体２、筒状体３および配管接続部材４が一体となっている図２に示す偏心管１を、この状態で、一体的に配管ｒの軸まわりに回動させることにより、接続用ネジ部９を配管ｒのネジ部に締付けることができ、偏心管本体２を配管に接続することができる。
【００１６】
次に、水栓本体接続部２０の微調整を行って水栓本体の接続部に対する位置合わせを行う場合について説明する。
【００１７】
この場合、偏心管本体２を配管ｒの軸方向に沿って配管側に移動させる。すなわち、偏心管本体２をスプリング１０の付勢力Ｆに抗して上流側に押圧すると偏心管本体２と筒状体３は一体になって配管側に移動する。これにより、第１のセレーション５と第２のセレーション８との係合状態が解除され、配管接続部材４は配管ｒへの締付けにより静止したままで、かつ、偏心管本体２を上流側に押圧力Ｆでもって押圧しながら、偏心管本体２を筒状体３と共に配管ｒの軸まわりに回動できる。
【００１８】
つまり、この位置合わせ作業では、偏心管本体２を上流側に押圧力Ｆでもって押圧しながら水栓本体接続部２０が水栓本体の接続部に対応する所定の位置にくるまで偏心管本体２を配管ｒの軸まわりに回動させるが、位置合わせ後、たとえ作業者が偏心管本体２から手を放しても、配管接続部材４は配管ｒに既に固定されており、スプリング１０による前記押圧力Ｆにより偏心管本体２とこれに一体の筒状体３を、前記所定の位置からずれることなく自然復帰させることができる。続いて、水栓本体接続部２０と水栓本体の接続部との接続を、水栓本体接続部２０に設けた袋ナット２０ａを締付けるだけで水栓本体と偏心管１とを接続できる。
【００１９】
このように、位置合わせ後、たとえ作業者が偏心管本体２から手を放して前記押圧力Ｆに抗した力を取り去っても、袋ナット２０ａの締付け前に一旦偏心管本体２を保持できるものであり、従来のように、偏心管本体が配管の軸まわりに回動して位置合わせの位置から偏心管本体がずれるといったことを回避でき、位置合わせ後に直ちに袋ナット２０ａを締付ける必要はなくなり締付け作業に自由度が生じることになる。
【００２０】
ここまでは、上述した図５に示す比較例の場合と変わるところがない。
【００２１】
以下、この発明の特徴的構成について説明する。
すなわち、図３（Ｂ）、図３（Ｃ）に示すように、この発明では、セレーション５の歯３０の数（山の数）を少なくするために、隣接する歯３０，３０間のピッチＰが図５に示したセレーション５’における歯３０’，３０’間のピッチＰ1 に比べて大きく設定されている。なお、歯３０と歯３０’は同一形状である。この実施の形態では、例えば直径が２４ｍｍの円の円周を１８等分する形で１８個の歯３０が内周面ｍに形成されている。そして、セレーション５に係合するセレーション８もセレーション５と同一形状をなしており、歯３０ａ，３０ａ間に前記ピッチＰをしながら１８個の歯が環状の外周面ｎに形成されている。すなわち、隣接する歯３０，３０ａ同士がクリアランスＫを有する状態で位置することになることから、微調整時において、比較例の場合では、偏心管本体２をスプリング１０の付勢力Ｆに抗して上流側に押圧する動作を数回繰り返さなければ水栓本体接続部２０と水栓本体の接続部との厳密な微調整（位置合わせ）が行えない事態が発生するおそれがあるが、この実施の形態では、比較例のセレーションから歯（山）一個分だけ無くすことにより各セレーション５，８において偏心管本体２の振り幅をクリアランスＫの分だけ比較例の場合より大きくできる。そのため、微調整時において、偏心管本体２をスプリング１０の付勢力Ｆに抗して上流側に押圧する動作を一回だけ行うだけで、後は偏心管本体２を前記振り幅の範囲で回すことにより位置合わせができる。
【００２２】
図４は、比較例のセレーションから歯（山）二個分だけ無くすことにより各セレーション５，８において偏心管本体２の振り幅を比較例の場合よりさらに大きくできるようにしたこの発明の第２の実施の形態を示している。図４において、図１〜図３に示す符号と同一のものは、同一または相当物である。
【００２３】
この場合は、隣接する歯３０，３０ａ間に設けたクリアランスＫを上記第１の実施の形態におけるクリアランスＫよりも大きくできる。すなわち、この実施の形態では、前記振り幅を第１の実施の形態よりも大きくでき、微調整をよりし易くできる。
【図面の簡単な説明】
【００２４】
【図１】この発明の第１の実施の形態における使用状態を示す構成説明図である。
【図２】上記実施の形態を示す構成説明図である。
【図３】（Ａ）上記実施の形態で用いた偏心管本体を示す構成説明図である。（Ｂ）は、上記実施の形態で用いた第１、第２の係合手段としてのセレーションを示す図である。（Ｃ）は、上記実施の形態で用いた第１、第２の係合手段としてのセレーションを示す要部断面図である。
【図４】（Ａ）この発明の第２の実施の形態で用いた第１、第２の係合手段としてのセレーションを示す図である。（Ｂ）は、上記第２の実施の形態で用いた第１、第２の係合手段としてのセレーションを示す要部断面図である。
【図５】（Ａ）比較例の偏心管本体を示す構成説明図である。（Ｂ）は、比較例の第１の係合手段としてのセレーションを示す図である。（Ｃ）は、比較例の第１の係合手段としてのセレーションを示す要部断面図である。
【符号の説明】
【００２５】
１          偏心管
２          偏心管本体
４          配管接続部材
５          第１のセレーション（第１の係合手段）
８          第２のセレーション（第２の係合手段）
１０        スプリング
Ｆ          押圧力
【図１】
2006132207.tif 000003
【図２】
2006132207.tif 000004
【図３】
2006132207.tif 000005
【図４】
2006132207.tif 000006
【図５】
2006132207.tif 000007